(57)【要約】【課題】タッチパネルを一定角度傾斜しても、ユーザが外部から接合樹脂フレームを発見できないタッチパネル用保護カバーを提供する。【解決手段】タッチパネル１との間にタッチコントロール間隔Ｄが存在する保護層２１と、保護層２１に貼り付けられる第１接着面２２１と、タッチパネル１に貼り付けられる第２接着面２２２と、を備え、タッチコントロール間隔Ｄ内に設けられ、第２接着面２２２は、第１接着面２２１のタッチパネル１への投影位置に設けられ、その面積が第１接着面２２１の面積よりも小さい接合樹脂フレーム２２と、を含む。【選択図】図２
0003181996.tif 000002
【実用新案登録請求の範囲】
【請求項１】
タッチパネル（１）との間にタッチコントロール間隔（Ｄ）が存在する保護層（２１）と、
前記保護層（２１）に貼り付けられる第１接着面（２２１）と、前記タッチパネル（１）に貼り付けられる第２接着面（２２２）と、を備え、前記タッチコントロール間隔（Ｄ）内に設けられ、前記第２接着面（２２２）は、前記第１接着面（２２１）の前記タッチパネル（１）への投影位置に設けられ、その面積が前記第１接着面（２２１）の面積よりも小さい接合樹脂フレーム（２２）と、
を含むことを特徴とするタッチパネル用保護カバー。
【請求項２】
前記接合樹脂フレーム（２２）は、更に、前記第１接着面（２２１）と前記第２接着面（２２２）の間に介在する連接面（２２３）を含むことを特徴とする、請求項１に記載のタッチパネル用保護カバー。
【請求項３】
前記連接面（２２３）は、斜面、曲面、又は階段面であることを特徴とする、請求項２に記載のタッチパネル用保護カバー。
【請求項４】
前記接合樹脂フレーム（２２）は、更に、前記保護層（２１）に接合されて前記第１接着面（２２１）を有する第１接合層（２２４）と、前記タッチパネル（１）に接合されて前記第１接合層（２２４）と連接して前記第２接着面（２２２）を有する第２接合層（２２５）と、を含むことを特徴とする、請求項１に記載のタッチパネル用保護カバー。
【請求項５】
前記接合樹脂フレーム（２２）はスポンジで作製されることを特徴とする、請求項１に記載のタッチパネル用保護カバー。
【請求項６】
前記保護層（２１）は、ガラス、又は樹脂フィルムであることを特徴とする、請求項１に記載のタッチパネル用保護カバー。
【考案の詳細な説明】
【技術分野】
【０００１】
本考案は、タッチパネル用保護カバーに関し、特に、接合樹脂フレームの貼付面積が異なるタッチパネル用保護カバーに関するものである。
【背景技術】
【０００２】
スマートフォンの普及に従って、タッチコントロールは従来のスイッチやキーボードに取って替わり制御の主流となってきている。一般のタッチコントロールは、ユーザの指、又は専用品をタッチパネルに接触して、タッチパネルが入力の命令である感応信号を発生させ、通信的に接続している電子装置、又はスマートフォンを制御できる。
【０００３】
タッチコントロールの過程中に、指や専用品の接触によりタッチパネルの表面が傷付けられると、タッチパネルにあるタッチコントロール感応層は、タッチの位置を判断できず、相応の感応信号を発生できないため、タッチパネルの表面を保護層によって覆うことが一般的である。前記保護層により、タッチパネルの表面が傷付けられることを回避できる。前記保護層は、タッチパネルの周縁に沿って設けられる両面テープにより、タッチパネルに接合される。しかし、従来の両面テープは、接着性だけを重視し前記保護層のタッチパネルへの接合を達成できるが、前記タッチパネルを一定角度傾斜すると、外部から前記両面テープが前記タッチパネルの一側に見えてしまう。このように、スマートフォン全体の見栄えが悪くなり、ユーザがこのような製品の品質に満足できないという問題がある。
【考案の概要】
【考案が解決しようとする課題】
【０００４】
本考案の主な目的は、タッチパネルを一定角度傾斜しても、ユーザが外部から接合樹脂フレームを発見できないタッチパネル用保護カバーを提供することにある。
【課題を解決するための手段】
【０００５】
本考案のタッチパネル用保護カバーによると、タッチパネル１との間にタッチコントロール間隔Ｄが存在する保護層２１と、保護層２１に貼り付けられる第１接着面２２１と、タッチパネル１に貼り付けられる第２接着面２２２と、を備え、タッチコントロール間隔Ｄ内に設けられ、第２接着面２２２は、第１接着面２２１のタッチパネル１への投影位置に設けられ、その面積が第１接着面２２１の面積よりも小さい接合樹脂フレーム２２と、を含むことを特徴とする。
【０００６】
本考案のタッチパネル用保護カバーによると、接合樹脂フレーム２２は、更に、第１接着面２２１と第２接着面２２２の間に介在する連接面２２３を含むことを特徴とする。
【０００７】
本考案のタッチパネル用保護カバーによると、連接面２２３は、斜面、曲面、又は階段面であることを特徴とする。
【０００８】
本考案のタッチパネル用保護カバーによると、接合樹脂フレーム２２は、更に、保護層２１に接合されて第１接着面２２１を有する第１接合層２２４と、タッチパネル１に接合されて第１接合層２２４と連接して第２接着面２２２を有する第２接合層２２５と、を含むことを特徴とする。
【０００９】
本考案のタッチパネル用保護カバーによると、接合樹脂フレーム２２はスポンジで作製されることを特徴とする。
【００１０】
本考案のタッチパネル用保護カバーによると、保護層２１は、ガラス、又は樹脂フィルムであることを特徴とする。
【考案の効果】
【００１１】
本考案のタッチパネル用保護カバーによれば、接合樹脂フレームの保護層に接着される第２接着面は、第１接着面のタッチパネルへの投影位置に設けられ、その面積が第１接着面の面積よりも小さいことにより、タッチパネルを一定角度傾斜しても、ユーザが接合樹脂フレームを発見できないという効果を有する。
【図面の簡単な説明】
【００１２】
【図１】本考案の実施例１の構造を示す分解斜視図である。
【図２】本考案の実施例１の構造を示す断面図である。
【図３】本考案の実施例２の構造を示す断面図である。
【図４】本考案の実施例３の構造を示す断面図である。
【考案を実施するための形態】
【００１３】
以下、本考案の実施の形態を図面に基づいて説明する。
図１及び図２を参照する。図１は本考案の実施例１の構造を示す分解斜視図であり、図２は本考案の実施例１の構造を示す断面図である。本考案のタッチパネル用保護カバーは、使用の過程中にタッチパネル１が傷付けられることを防止するためのものであり、スマートフォンのみに適用可能なものではなく、タブレットコンピュータ、ノート型コンピュータやその他の電子装置のタッチパネルに適用することも可能である。
【００１４】
本考案の保護カバー２は、保護層２１と、接合樹脂フレーム２２と、を含む。具体的には、保護層２１とタッチパネル１との間にタッチコントロール間隔Ｄが存在する。必要によって、保護層２１は、例えばガラス、又は樹脂フィルムを採用してもよい。接合樹脂フレーム２２は、保護層２１に貼り付けられる第１接着面２２１と、タッチパネル１に貼り付けられる第２接着面２２２と、第１接着面２２１と第２接着面２２２の間に介在する連接面２２３と、を含み、タッチコントロール間隔Ｄ内に設けられる。そして第２接着面２２２は、第１接着面２２１のタッチパネル１への投影位置に設けられ、その面積が第１接着面２２１の面積よりも小さい。このように、図２に示すように、第２接着面２２２の面積が第１接着面２２１の面積よりも小さいため、連接面２２３が斜面となり、これにより、タッチパネル１を一定角度傾斜しても、ユーザは接合樹脂フレーム２２がタッチパネル１の一側に配されていることを発見できない。また、本考案の接合樹脂フレーム２２は、スポンジ、又はその他の接合可能な材料で作製される。
【００１５】
一方、本考案は、必要によって連接面２２３を変更してもよい。図３を参照する。図３は本考案の実施例２の構造を示す断面図である。図３に示すように、連接面２２３ａは階段面であるが、本考案はこれらに限定されない。連接面２２３ａを階段面にするために、接合樹脂フレーム２２は、第１接合層２２４と、第１接合層２２４に連接される第２接合層２２５と、から構成される。第１接合層２２４は保護層２１に貼り付けられ、第２接合層２２５はタッチパネル１に貼り付けられる。すなわち、接合樹脂フレーム２２の第１接着面２２１は、第１接合層２２４の保護層２１に貼り付けられる側面であり、第２接着面２２２は、第２接合層２２５のタッチパネル１に貼り付けられる側面である。且つ第１接合層２２４の面積は第２接合層２２５の面積よりも大きい。具体的には、第１接合層２２４の幅は第２接合層２２５の幅よりも広い。例えば第１接合層２２４の幅は２ｍｍであり、第２接合層２２５の幅は１．５ｍｍである。
【００１６】
図４を参照する。図４は本考案の実施例３の構造を示す断面図である。図４に示すように、連接面２２３ｂは曲面であり、前記曲面はタッチコントロール間隔Ｄによって曲率を調整可能である。連接面２２３ｂは、図４に示すように、凹状な曲面であるが、本考案はこれらに限定されない。もちろん、連接面２２３ｂは凸状な曲面でもよい。
【産業上の利用可能性】
【００１７】
本考案は、タッチパネルに適用することができる。
【符号の説明】
【００１８】
１  タッチパネル
２１  保護層
２２  接合樹脂フレーム
２２１  第１接着面
２２２  第２接着面
２２３  連接面
２２３ａ  連接面
２２３ｂ  連接面
２２４  第１接合層
２２５  第２接合層
Ｄ  タッチコントロール間隔
【図１】
0003181996.tif 000003
【図２】
0003181996.tif 000004
【図３】
0003181996.tif 000005
【図４】
0003181996.tif 000006